(57)【要約】【課題】固定部を形成する位置の自由度を上げることができる便器装置を提供すること。【解決手段】本発明は、便鉢３を有する便器部２と、洗浄機能を有する洗浄機構部９と、該便器部２の後方に配置される機能部７と、を備える便器装置１であって、便器部２は、便鉢３の後方から前方に向かって延びて設けられるリム通水路３１１を有し、洗浄機構部９は、リム通水路３１１の上流部において前方に向かって延びて設けられ、便鉢３に洗浄水を吐出する吐出部１３を有し、便器部２の上面には、機能部７を配置するベースプレート６を固定するための固定部材１２が挿通される固定孔部３１２が形成され、吐出部１３は、固定部材１２との干渉を回避する位置に配置される便器装置を提供する。【選択図】図４
2017214742.tif 000002
【特許請求の範囲】
【請求項１】
便鉢を有する便器部と、洗浄機能を有する洗浄機構部と、該便器部の後方に配置される機能部と、を備える便器装置であって、
前記便器部は、前記便鉢の後方から前方に向かって延びて設けられるリム通水路を有し、
前記洗浄機構部は、前記リム通水路の上流部において前方に向かって延びて設けられ、前記便鉢に洗浄水を吐出する吐出部を有し、
前記便器部の上面には、前記機能部を配置するベースプレートを固定するための固定部材が挿通される固定孔部が形成され、
前記吐出部は、前記固定部材との干渉を回避する位置に配置される便器装置。
【請求項２】
前記吐出部は、前記固定部材との干渉を回避する干渉回避部を有する請求項１に記載の便器装置。
【請求項３】
前記干渉回避部は、下方に屈曲して前記固定部材との干渉を回避する請求項２に記載の便器装置。
【請求項４】
前記リム通水路は、前記干渉回避部において下方に凹んだ凹部を有する請求項３に記載の便器装置。
【請求項５】
前記干渉回避部は、幅方向に屈曲して、前記固定部材との干渉を回避する請求項２〜４に記載の便器装置。
【請求項６】
前記便鉢の後方には、前記固定部材の下端よりも低い上端部を有する堰が形成される請求項１から５いずれかに記載の便器装置。
【請求項７】
前記固定孔部は、前記便器部の上面よりも下方に凹んだ上面凹部と、該上面凹部に形成された固定孔と、を有する請求項１から６いずれかに記載の便器装置。
【発明の詳細な説明】
【技術分野】
【０００１】
本発明は、便器装置に関する。
【背景技術】
【０００２】
従来の便器装置では、洗浄装置からの洗浄水を便鉢内部に供給する通水部が便器部の上面側に形成されている。このような便器装置では、洗浄装置の前方側の端部と後方側の端部に設けられる固定部を、便器部の上面に設けられた固定穴に固定する方法が知られている（例えば、特許文献１参照）。
【先行技術文献】
【特許文献】
【０００３】
【特許文献１】特開２００３−１０５８３０号公報
【発明の概要】
【発明が解決しようとする課題】
【０００４】
しかしながら、従来の便器装置では、通水部からの水漏れを防ぐため、前方側の固定穴は上記通水部を避けるようにして、且つ便鉢よりも後方側で、その中央寄りに設ける必要があり、固定部を形成する位置には制限があった。そのため、例えば、従来の便器装置は前後方向に長くなるという問題があった。
【０００５】
本発明は、上記課題に鑑みなされたものであり、固定部を形成する位置の自由度を上げることができる便器装置を提供することを目的とする。
【課題を解決するための手段】
【０００６】
上記目的を達成するため本発明は、便鉢（例えば、後述する便鉢３）を有する便器部（例えば、後述する便器部２）と、洗浄機能を有する洗浄機構部（例えば、後述する洗浄機構部９）と、該便器部の後方に配置される機能部（例えば、後述する機能部７）と、を備える便器装置（例えば、後述する便器装置１）であって、前記便器部は、前記便鉢の後方から前方に向かって延びて設けられるリム通水路（例えば、後述するリム通水路３１１）を有し、前記洗浄機構部は、前記リム通水路の上流部において前方に向かって延びて設けられ、前記便鉢に洗浄水を吐出する吐出部（例えば、後述する吐出部１３）を有し、前記便器部の上面には、前記機能部を配置するベースプレート（例えば、後述するベースプレート６）を固定するための固定部材（例えば、後述する固定部材１２）が挿通される固定孔部（例えば、後述する固定孔部３１２）が形成され、前記吐出部は、前記固定部材との干渉を回避する便器装置を提供する。
【０００７】
また、前記吐出部は、前記固定部材との干渉を回避する位置に配置される干渉回避部を有することが好ましい。
【０００８】
また、前記干渉回避部は、下方に屈曲して前記固定部材との干渉を回避することが好ましい。
【０００９】
また、前記リム通水路は、前記干渉回避部において下方に凹んだ凹部（例えば、後述する凹部３１３）を有することが好ましい。
【００１０】
また、前記干渉回避部は、幅方向に屈曲して、前記固定部材との干渉を回避することが好ましい。
【００１１】
また、前記便鉢の後方には、前記固定部材の下端よりも低い上端部を有する堰（例えば、後述する仕切堰１１）が形成されることが好ましい。
【００１２】
また、前記固定孔部は、前記便器部の上面よりも下方に凹んだ上面凹部（例えば、後述する上面凹部３１４ａ、３１４ｂ）と、該上面凹部に形成された固定孔（例えば、後述する固定孔３１２ａ、３１２ｂ）と、を有することが好ましい。
【発明の効果】
【００１３】
本発明によれば、固定部を形成する位置の自由度を上げることができる便器装置を提供することができる。
【図面の簡単な説明】
【００１４】
【図１】本発明の一実施形態に係る便器装置を示す図である。
【図２】本実施形態に係る便器装置が内蔵する機能部を示す図である。
【図３】図２のＢ−Ｂ線断面図である。
【図４】本実施形態に係る便器装置のリム通水路を示す上面図である。
【図５】本実施形態に係る便器装置のリム通水路を示す側面図である。
【図６】本実施形態に係る便器装置の便器部を示す上面図である。
【図７】本実施形態に係る便器部にベースプレートを固定する様子を示す図である。
【図８】図１のＡ−Ａ線断面図である。
【発明を実施するための形態】
【００１５】
以下、本発明の一実施形態について、図１〜６を参照しながら詳しく説明する。
図１は、本発明の一実施形態に係る便器装置１を示す図である。図２は、本実施形態に係る便器装置１が内蔵する機能部７を示す図である。図３は、図２のＢ−Ｂ線断面図である。図４は、本実施形態に係る便器装置１のリム通水路３１１を示す上面図である。図５は、本実施形態に係る便器装置１のリム通水路３１１を示す側面図である。図６は、本実施形態に係る便器装置１の便器部２を示す上面図である。
なお、以下の説明においては、便器装置１の便座（図示省略）に座った人から視た場合の前後の向きを前後方向とし、便座に座った人から視た場合の左右の向きを左右方向とする。また、便器部２から便蓋５へ向かう鉛直方向に沿った上下の向きを上下方向とする。
【００１６】
便器装置１は、陶器製の便器部２と、便座（図示省略）と、便蓋５と、ベースプレート６と、機能部７と、カバー部８と、洗浄機構部９と、を備える。
【００１７】
便座（図示省略）及び便蓋５は、便器部２の上方において、便器部２に対して回動可能に取り付けられる。
【００１８】
便器部２は、前方側において下方に向けてすり鉢状に形成される便鉢３と、後方側において下方に窪んで設けられ形成される収容部４と、便鉢３と収容部４の間に形成される仕切堰（堰）１１を備えて構成される。便器部２は、全面が陶器で形成される。便器部２の形状等は、特に限定されるものではなく、種々の規格が適用できる。
【００１９】
便鉢３の上方には、断面視略矩形状のリム部３１が形成される。便鉢３の下方には、一端部が排水接続管３４に接続される断面視略Ｓ字状の排水路３３が形成されている。便鉢３内部は、洗浄機構部９から供給される洗浄水により洗浄される。
【００２０】
排水路３３の途中には、後述するジェットノズル９６１の接続用開口３３ａが形成される。排水路３３の下流側端部３３ｂに排水接続管３４が接続される。排水路３３には、便鉢３から流れ込む洗浄水及びジェットノズル９６１からの洗浄水が供給される。
【００２１】
ここで、リム部３１は、便鉢３の上方に設置される。リム部３１には、洗浄機構部９から供給される洗浄水を便鉢３の内部に通水するリム通水路３１１が形成される。
【００２２】
リム通水路３１１の上面には、後述するベースプレート６の固定部６１に連通可能な固定孔部３１２が形成され、その中心に固定孔３１２ａ及び３１２ｂが設けられる。リム通水路３１１の上面の固定孔３１２ａ及び固定孔３１２ｂ近傍には、リム部３１の上面よりも下方に凹んだ上面凹部３１４ａ及び上面凹部３１４ｂが形成される。
【００２３】
固定孔３１２ａ及び３１２ｂは便鉢３の開口の左右のそれぞれの端面よりも外側であることが好適である。これにより、固定孔３１２ａ及び３１２ｂは、従来のように便鉢３の後方側における中央寄りに設ける必要がなく、従来よりも広範囲の領域が対象になる。また、固定孔３１２ａ及び３１２ｂはそれぞれ便鉢３の後端部よりも手前側となることが好適である。
【００２４】
リム通水路３１１の下面には、便鉢３の後方から前方に向かって延びて設けられ、その上流部において下方に凹んだ凹部３１３が形成される。リム通水路３１１の内部には、後述する吐出部１３が配置され、洗浄機構部９から供給される洗浄水が便鉢３内に吐出される。リム通水路３１１内には、便器部２の後方から前方に向かい上昇し、かつその断面の面積が狭くなる空間が形成される。
【００２５】
収容部４の上方には、ベースプレート６が設置される。収容部４内部には、このベースプレート６に固定支持される機能部７及び洗浄機構部９の一部が配置される。収容部４の背面には開口が設けられており、該収容部４は、後述する第１給水配管９２をこの開口を挿通させた状態で洗浄機構部９に接続させる。収容部４の後方側の隅には、固定孔３１２ｃ、３１２ｄが形成される。
【００２６】
ベースプレート６の４隅の各固定部には、固定部材１２が挿通可能な各固定孔が形成される。該ベースプレート６の固定孔のうち、前方に設けられる固定孔６１ａ及び６１ｂの周囲には、上記上面凹部３１４ａ及び上面凹部３１４ｂに対応するようにして、下方に凹む固定用凹部６２ａ及び６２ｂが形成される。
【００２７】
固定用凹部６２ａ及び６２ｂの高さは、固定部材１２ａ及び１２ｂのヘッド部分の高さに対応する。そのため、ベースプレート６を便器部２に固定した際に、固定用凹部６２ａ及び６２ｂの周縁部よりも上方に固定部材１２ａ及び１２ｂのヘッド部分が飛び出ることを抑えることができる（図８参照）。
【００２８】
仕切堰１１は、便鉢３と収容部４との間に形成される。仕切堰１１の上端部１１ａの高さは、便器部２の上面よりも低い位置に形成される。これにより、故障時等において、上端部１１ａを超えた洗浄水は仕切堰１１から収容部４に流れ、仕切堰１１は便鉢３の上方から外部に洗浄水が溢れ出ていくことを防止する。
また、上端部１１ａの高さは、固定部材１２の下端部よりも低くなるように形成されることが好ましい。これにより、上端部１１ａは、故障時等において、固定部材１２が洗浄水に浸漬されるのを防止する。
【００２９】
また、仕切堰１１の前方側及びベースプレート６との接触部分には、シール部材１１１を設置することができる。仕切堰１１のシール部材１１１は、通常時において、ベースプレート６と仕切堰１１の間への汚れの侵入を防ぐことができる。
【００３０】
固定部材１２（１２ａ〜１２ｄ）は、ボルトとナットから構成される。固定部材１２には金属性、樹脂性、パッキン素材等を含む材料を適用することができる。特に、本発明においては、金属性の反転ナットを用いることが好ましい。反転ナットを使用することにより、適切な固定強度により、便器部２とベースプレート６を固定することができる。また、樹脂等に比べ経年劣化しづらいことから、長期にわたる固定が可能になる。
【００３１】
機能部７は、ベースプレート６に固定される不図示の電源ユニット、便座及び便蓋の電動開閉ユニットに加え、衛生洗浄ユニット、温風乾燥ユニット、各ユニット制御回路基板や、各種配管等の各種機能部材から構成される。機能部７には、上方からカバー部８が設置される。
【００３２】
洗浄機構部９は、洗浄水供給部９１と、第１給水配管９２と、リムノズル（吐出部１３の吐水口）９３と、第２吐水口９４と、ノズル配管（吐出部１３の配管）９５と、蓄圧装置９６と、第２給水配管９７と、から構成される。洗浄機構部９は、ベースプレート６の後方側に配置される。洗浄機構部９は、水道管から供給される洗浄水をリムノズル９３、第２吐水口９４から便鉢３内部に給水し、またジェットノズル９６１から排水路３３内部に給水する。
【００３３】
第１給水配管９２は、一方側の端部が水道管に連結する止水栓部材１０に接続され、他方側の端部が洗浄水供給部９１に接続される。第１給水配管９２の両端部には、止水栓部材１０及び洗浄水供給部９１に対して、着脱可能な器具等を適宣取り付けることができる。
【００３４】
蓄圧装置９６は、第２給水配管９７より供給される洗浄水の一部を貯留すると共に、便鉢３内の洗浄のタイミングに合わせて、加圧した洗浄水をジェットノズル９６１先端から排水路３３内に噴射させる。
【００３５】
吐出部１３は、上述のリムノズル９３とノズル配管９５から構成される。このうち、ノズル配管９５の一部には、干渉回避部９５１が形成される。ノズル配管９５の干渉回避部９５１は、リム通水路３１１の凹部３１３において所定方向に屈曲させることで、固定部材１２の下端部がノズル配管９５に干渉することを防ぐことができる（図８参照）。
【００３６】
干渉回避部９５１は、例えば、凹部３１３において下方側及びリム通水路３１１の幅方向のいずれか一方向に屈曲させることができる。
【００３７】
以上の構成を備える便器装置１において、便器部２上面へのベースプレート６の固定動作について、図７及び図８を参照して説明する。
図７は、本実施形態に係る便器部２にベースプレート６を固定する様子を示す図である。図８は、図１のＡ−Ａ線断面図である。
【００３８】
まず、機能部７及び洗浄機構部９を構成する各部材が配置されたベースプレート６を、ベースプレート６の４隅に設けられる孔部に便器部２の固定孔部３１２が一致するようにして収容部４の上方に載置する。続いて、各固定部材をベースプレート６の各固定孔及び便器部２の各固定孔部に挿通させた状態で、下端をナットにより締め付ける。これにより、ベースプレート６は便器部２上に固定される。
【００３９】
以上のようにして、ベースプレート６を固定した後の便器部２上には、便座（不図示）、便蓋５及びカバー部８が設置される。これにより、便器装置１の断面構成は、図８に示すようなものとなる。また、固定部材１２ａのヘッド部分は、固定用凹部６２ａの内側に埋没して設置されるため、外部に飛び出すことがない。
【００４０】
また、本実施形態の便器装置１では、以下のようにして、便鉢３内の洗浄動作が行われる。
まず、止水栓部材１０から供給される洗浄水は、第１給水配管９２を経由して洗浄水供給部９１に案内される。洗浄水供給部９１に案内された洗浄水の一部は、ノズル配管９５により、リムノズル９３及び第２吐水口９４に供給された後、リムノズル９３及び第２吐水口９４から便鉢３内部にそれぞれ供給される。
他方で、第２給水配管９７に送水された洗浄水は、該リムノズル９３からの吐水のタイミングに合わせて、蓄圧装置９６により所定の圧力にまで加圧され、ジェットノズル９６１から排水路３３内部に噴射される。これらの各部より供給される洗浄水によって、便鉢３内の汚物等は排水管３５に押し流される。
【００４１】
以上説明した本実施形態の便器装置１によれば以下のような効果が奏される。
【００４２】
本実施形態に係る便器装置１では、便鉢３を有する便器部２と、洗浄機能を有する洗浄機構部９と、該便器部の後方に配置される機能部７と、を備える構成にした。
より詳しくは、便器部２は、便鉢３の後方から前方に向かって延びて設けられるリム通水路３１１を有する構成にした。洗浄機構部９は、リム通水路３１１の上流部において前方に向かって延びて設けられ、便鉢３に洗浄水を吐出する吐出部１３を有する構成にした。特に、便器部２の上面には、機能部７を配置するベースプレート６を固定するための固定部材１２が挿通される固定孔部３１２が形成され、吐出部１３は、固定部材１２との干渉を回避する構成にした。
ここで、従来の便器装置では、固定孔部からの洗浄水が漏れないようにするため、通水路を避けるようにして固定孔部が設けられていた。
しかしながら、本実施形態に係るリム通水路３１１によれば、固定部材１２と吐出部１３は干渉することがない。そのため、リム通水路３１１からの洗浄水の漏れを心配することなく、このリム通水路３１１の上面にも、固定孔部を形成することができる。
従って、本実施形態によれば、固定部を形成する位置の自由度を上げることができる便器装置を提供することができる。
【００４３】
また、本実施形態に係る吐出部１３は、固定部材１２との干渉を回避する干渉回避部９５１を有する構成にした。これにより、固定部材１２との干渉を確実に回避するための構成が具体的に実現される。
従って、本実施形態によれば、固定部を形成する位置の自由度を上げることができる便器装置を確実に提供することができる。
【００４４】
また、本実施形態に係る干渉回避部９５１は、下方に屈曲して固定部材１２との干渉を回避する構成にした。これにより、便器部２の上面に設けられる固定部材１２と吐出部１３の干渉を回避する構成が、一層具体的に実現される。
従って、本実施形態によれば、固定部を形成する位置の自由度を向上させることができる便器装置を提供することができる。
【００４５】
また、本実施形態に係るリム通水路３１１は、干渉回避部９５１において下方に凹んだ凹部３１３を有する構成にした。これにより、干渉回避部９５１はリム通水路３１１内の下面の位置による制限を受け難くなり、固定部材１２を避けるための干渉回避部９５１の傾斜角の調整が行い易くなる。
従って、本実施形態によれば、干渉回避部９５１による、固定部材１２との干渉を回避する能力が向上され、固定部を形成する位置の自由度を、さらに向上させることができる便器装置を提供することができる。
【００４６】
また、本実施形態に係る干渉回避部９５１は、幅方向に屈曲して固定部材１２との干渉を回避する構成にした。これにより、干渉回避部９５１を、さらに幅方向に逃がすことができる。
従って、本実施形態の便器装置によれば、固定部を形成する位置の自由度を、さらに向上させることができる便器装置を提供することができる。
【００４７】
また、本実施形態に係る便鉢３の後方には、固定部材１２の下端よりも低い上端部１１ａを有する仕切堰１１が形成される構成にした。より具体的には、上記吐出部１３が固定部材１２に対して不干渉であることに加えて、仕切堰１１の上端部１１ａが固定部材１２の下端よりも低い位置に形成される。そのため、便鉢３の故障等により、便鉢３内部から洗浄水が溢れ出るような場合であっても、固定部材１２に洗浄水が触れることがない。そのため、固定部材１２には金属製の反転ナットを使用することができる。
従って、本実施形態の便器装置１によれば、固定部材１２には、金属製の反転ナットを使用し、便器部２と機能部７をしっかりと固定することができる。
【００４８】
また、本実施形態によれば、固定孔部３１２は、便器部２の上面よりも下方に凹んだ上面凹部３１４ａ、３１４ｂと、該上面凹部に形成された固定孔３１２ａ、３１２ｂと、を有する構成にした。これにより、固定孔３１２ａに挿通される固定部材１２のヘッドは、上面凹部３１４ａに埋没される。
従って、本実施形態の便器装置１によれば、上面凹部３１４ａから固定部材１２のヘッドが外部に飛び出ることを防ぐことができ、意匠性が向上するとともに、固定部材１２とその他部材との干渉が回避される。
【００４９】
なお、本発明は上記実施形態に限定されるものではなく、本発明の目的を達成できる範囲での変形、改良等は本発明に含まれる。
例えば、本実施形態の便器装置１は、節水型便器装置など洗浄水の供給量が少ない便器に適用することが可能である。
【００５０】
また、本実施形態の便器装置１は、トイレ空間の床面に設けられる排水管に接続する所謂、床配管式の便器装置への適用した例を示したが、本発明はこれに限られず、トイレ空間の壁面内に設けられる排水管に接続する、所謂壁配管式の便器装置にも適用できる。
また、本実施形態の便器装置１は、工場において予め組み合わせた状態で建物の床面上に設置する手順で例示したが、設置現場において便器装置を組み上げることも可能である。
【符号の説明】
【００５１】
１        便器装置
２        便器部
３        便鉢
３１１    リム通水路
３１２    固定孔部
３１２ａ、３１２ｂ  固定孔
３１３    凹部
３１４ａ、３１４ｂ  上面凹部
７        機能部
９        洗浄機構部
９５１    干渉回避部
１１      仕切堰（堰）
１２      固定部材
１３      吐出部
【図１】
2017214742.tif 000003
【図２】
2017214742.tif 000004
【図３】
2017214742.tif 000005
【図４】
2017214742.tif 000006
【図５】
2017214742.tif 000007
【図６】
2017214742.tif 000008
【図７】
2017214742.tif 000009
【図８】
2017214742.tif 000010